(57)【要約】【課題】  表示された画像を見る者の意向を反映した画像を表示すること【解決手段】  プロジェクタは、表示するための画像を出力する表示制御部（Ｓ０５）と、通信可能に接続された１以上のＰＣからメッセージを受信するメッセージ受信部（Ｓ０７）と、受信された１以上のメッセージを集計する集計部（Ｓ０８）と、１以上のメッセージが受信される場合、集計されたメッセージの数に基づいて、表示するための画像を変更する変更部（Ｓ０９）と、を備える。【選択図】        図８
2010217563.tif 000002
【特許請求の範囲】
【請求項１】
表示するための画像を出力する表示制御手段と、
通信可能に接続された１以上のコンピュータからメッセージを受信する受信手段と、
前記受信手段により受信された１以上のメッセージを集計する集計手段と、
前記受信手段により前記１以上のメッセージが受信される場合、前記集計されたメッセージの数に基づいて、前記表示するための画像を変更する変更手段と、を備えた、画像表示装置。
【請求項２】
前記変更手段は、前記メッセージが存在することを示す指示画像を前記表示制御手段が出力している画像に合成することによって合成画像を生成する合成手段を含み、
前記表示制御手段は、前記合成画像を出力する、請求項１に記載の画像表示装置。
【請求項３】
前記変更手段は、前記集計されたメッセージの数に基づいて、前記指示画像の表示態様を変更する表示態様変更手段をさらに含む、請求項２に記載の画像表示装置。
【請求項４】
前記集計手段は、前記受信手段により受信された１以上のメッセージを、メッセージの種類毎に集計し、
前記合成手段は、前記メッセージの種類によって異なる指示画像を前記画像に合成する、請求項２または３に記載の画像表示装置。
【請求項５】
前記受信手段は、メッセージとともに、前記表示するための画像中の位置を受信し、
前記集計手段は、前記受信手段により受信された１以上のメッセージを、前記画像中の位置毎に集計し、
前記合成手段は、前記画像中の位置毎に前記指示画像を前記表示するための画像に合成する、請求項２〜４のいずれかに記載の画像表示装置。
【請求項６】
前記集計手段は、前記表示制御手段が別の画像を出力する前に前記受信手段により受信されるメッセージを集計する、請求項１〜５のいずれかに記載の画像表示装置。
【請求項７】
前記表示制御手段により制御され、画像を表示する表示手段をさらに備えた、請求項１〜６のいずれかに記載の画像表示装置。
【請求項８】
前記表示制御手段は、外部に接続された表示装置に前記画像を表示させるために前記表示するための画像を前記表示装置に出力する、請求項１〜６のいずれかに記載の画像表示装置。
【請求項９】
画像表示装置と１以上のコンピュータとを含む画像表示システムであって、
前記画像表示装置は、表示するための画像を出力する表示制御手段と、
通信可能に接続された１以上のコンピュータからメッセージを受信するメッセージ受信手段と、
前記受信手段により受信された１以上のメッセージを集計する集計手段と、
前記受信手段により前記１以上のメッセージが受信される場合、前記集計されたメッセージの数に基づいて、前記表示するための画像を変更する変更手段と、
前記１以上のコンピュータそれぞれに前記表示するための画像を送信する送信手段と、を備え、
前記１以上のコンピュータそれぞれは、前記表示するための画像を受信する画像受信手段と、
ユーザによる指示を受け付ける指示受付手段と、
前記受け付けられた指示に基づいてメッセージを送信するメッセージ送信手段と、を備える画像表示システム。
【請求項１０】
前記１以上のコンピュータそれぞれが備える前記受付手段は、前記表示された画像中の位置を特定する位置特定手段と、
予め定められた複数の種類のメッセージのうちから１つを受け付ける種類受付手段と、をさらに含み、
前記メッセージ送信手段は、前記受け付けられた画像中の位置と、前記受け付けられた種類とを含むメッセージを送信し、
前記画像表示装置が備える前記集計手段は、前記受信手段により受信された１以上のメッセージを、前記メッセージの種類毎および画像中の位置毎に集計し、
前記合成手段は、前記画像中の位置毎に前記メッセージの種類により異なる指示画像を前記画像に合成する、請求項９に記載の画像表示システム。
【請求項１１】
表示するための画像を出力するステップと、
通信可能に接続された１以上のコンピュータからメッセージを受信するステップと、
前記受信手段により受信された１以上のメッセージを集計するステップと、
前記受信手段により前記１以上のメッセージが受信される場合、前記集計されたメッセージの数に基づいて、前記表示するための画像を変更するステップと、を含む画像表示方法。
【請求項１２】
表示するための画像を出力するステップと、
通信可能に接続された１以上のコンピュータからメッセージを受信するステップと、
前記受信手段により受信された１以上のメッセージを集計するステップと、
前記受信手段により前記１以上のメッセージが受信される場合、前記集計されたメッセージの数に基づいて、前記表示するための画像を変更するステップと、をコンピュータに実行させるための画像表示プログラム。
【発明の詳細な説明】
【技術分野】
【０００１】
この発明は、画像表示装置、画像表示方法および画像表示プログラムに関し、特に、会議等で発表する資料の画像を表示する画像表示装置、画像表示方法および画像表示プログラムに関する。
【背景技術】
【０００２】
会議等において、説明用の資料の画像をスクリーンに映し出し、説明することがなされている。近年は、説明用の資料をコンピュータに記憶させておき、そのコンピュータに表示装置としてのプロジェクタ等を接続し、コンピュータが出力する資料の画像をプロジェクタに表示させることが多い。
【０００３】
通常、説明用の画像は、説明者が予め準備した順に表示されるため、参加者の意向が説明者に反映されないことが多い。一方、特開２００２−１４９１４５号公報には、プレゼンテーションにおける参加者の関心の度合いを検出する関心度合検出手段と、この関心度合検出手段で検出した関心の度合いに応じて、予め定めた複数のスライド進行パターンから少なくとも一つのスライド進行パターンを選択する選択手段と、この選択手段で選択したスライド進行パターンにもとづく進行順序でスライドを表示する表示手段とを備えたことを特徴とするプレゼンテーション装置が記載されている。
【０００４】
しかしながら、従来のプレゼンテーション装置は、参加者の意向を反映してスライドの進行順序が変更されてしまうため、説明者は、参加者の意向を知ることができないといった問題がある。参加者の意向を予測して複数のスライド進行パターンを予め定めておいても、選択されているスライド進行パターンが予測した参加者の意向のいずれであるかを判断しなければならない。
【特許文献１】特開２００２−１４９１４５号公報
【発明の開示】
【発明が解決しようとする課題】
【０００５】
この発明は上述した問題点を解決するためになされたもので、この発明の目的の１つは、表示された画像を見る者の意向を反映した画像を表示することが可能な画像表示装置を提供することである。
【０００６】
この発明の他の目的は、表示された画像を見る者の意向を反映した画像を表示することが可能な画像表示方法を提供することである。
【０００７】
この発明のさらに他の目的は、表示された画像を見る者の意向を反映した画像を表示することが可能な画像表示プログラムを提供することである。
【課題を解決するための手段】
【０００８】
この発明は上述した問題点を解決するためになされたもので、この発明のある局面によれば、画像表示装置は、表示するための画像を出力する表示制御手段と、通信可能に接続された１以上のコンピュータからメッセージを受信する受信手段と、受信手段により受信された１以上のメッセージを集計する集計手段と、受信手段により１以上のメッセージが受信される場合、集計されたメッセージの数に基づいて、表示するための画像を変更する変更手段と、を備える。
【０００９】
この局面に従えば、通信可能に接続された１以上のコンピュータからメッセージが受信され、１以上のメッセージが受信される場合、集計されたメッセージの数に基づいて、表示するための画像が変更される。このため、表示された画像からメッセージの数を知ることができる。その結果、表示された画像を見る者の意向を反映した画像を表示することが可能な画像表示装置を提供することができる。
【００１０】
好ましくは、変更手段は、メッセージが存在することを示す指示画像を表示制御手段が出力している画像に合成することによって合成画像を生成する合成手段を含み、表示制御手段は、合成画像を出力する。
【００１１】
好ましくは、変更手段は、集計されたメッセージの数に基づいて、指示画像の表示態様を変更する表示態様変更手段をさらに含む。
【００１２】
好ましくは、集計手段は、受信手段により受信された１以上のメッセージを、メッセージの種類毎に集計し、合成手段は、メッセージの種類によって異なる指示画像を画像に合成する。
【００１３】
好ましくは、受信手段は、メッセージとともに、表示するための画像中の位置を受信し、集計手段は、受信手段により受信された１以上のメッセージを、画像中の位置毎に集計し、合成手段は、画像中の位置毎に指示画像を表示するための画像に合成する。
【００１４】
好ましくは、集計手段は、表示制御手段が別の画像を出力する前に受信手段により受信されるメッセージを集計する。
【００１５】
好ましくは、表示制御手段により制御され、画像を表示する表示手段をさらに備える。
【００１６】
好ましくは、表示制御手段は、外部に接続された表示装置に画像を表示させるために表示するための画像を表示装置に出力する。
【００１７】
この発明の他の局面によれば、画像表示システムは、画像表示装置と１以上のコンピュータとを含む画像表示システムであって、画像表示装置は、表示するための画像を出力する表示制御手段と、通信可能に接続された１以上のコンピュータからメッセージを受信するメッセージ受信手段と、受信手段により受信された１以上のメッセージを集計する集計手段と、受信手段により１以上のメッセージが受信される場合、集計されたメッセージの数に基づいて、表示するための画像を変更する変更手段と、１以上のコンピュータそれぞれに表示するための画像を送信する送信手段と、を備え、１以上のコンピュータそれぞれは、表示するための画像を受信する画像受信手段と、ユーザによる指示を受け付ける指示受付手段と、受け付けられた指示に基づいてメッセージを送信するメッセージ送信手段と、を備える。
【００１８】
好ましくは、１以上のコンピュータそれぞれが備える受付手段は、表示された画像中の位置を特定する位置特定手段と、予め定められた複数の種類のメッセージのうちから１つを受け付ける種類受付手段と、をさらに含み、メッセージ送信手段は、受け付けられた画像中の位置と、受け付けられた種類とを含むメッセージを送信し、画像表示装置が備える集計手段は、受信手段により受信された１以上のメッセージを、メッセージの種類毎および画像中の位置毎に集計し、合成手段は、画像中の位置毎にメッセージの種類により異なる指示画像を画像に合成する。
【００１９】
この発明のさらに他の局面によれば、画像表示方法は、表示するための画像を出力するステップと、通信可能に接続された１以上のコンピュータからメッセージを受信するステップと、受信手段により受信された１以上のメッセージを集計するステップと、受信手段により１以上のメッセージが受信される場合、集計されたメッセージの数に基づいて、表示するための画像を変更するステップと、を含む。
【００２０】
この局面によれば、表示された画像を見る者の意向を反映した画像を表示することが可能な画像表示方法を提供することができる。
【００２１】
この発明のさらに他の局面によれば、画像表示プログラムは、表示するための画像を出力するステップと、通信可能に接続された１以上のコンピュータからメッセージを受信するステップと、受信手段により受信された１以上のメッセージを集計するステップと、受信手段により１以上のメッセージが受信される場合、集計されたメッセージの数に基づいて、表示するための画像を変更するステップと、をコンピュータに実行させる。
【００２２】
この局面によれば、表示された画像を見る者の意向を反映した画像を表示することが可能な画像表示プログラムを提供することができる。
【発明を実施するための最良の形態】
【００２３】
以下、本発明の実施の形態について図面を参照して説明する。以下の説明では同一の部材には同一の符号を付してある。それらの名称および機能も同じである。したがってそれらについての詳細な説明は繰返さない。
【００２４】
＜第１の実施の形態＞
図１は、本発明の実施の形態の１つにおける会議システムの全体概要を示す図である。図１を参照して、会議システム１は、それぞれがネットワーク２に接続された画像表示装置としてのプロジェクタ１００と、ＭＦＰ（Ｍｕｌｔｉ  Ｆｕｎｃｔｉｏｎ  Ｐｅｒｉｐｈｅｒａｌ）２００と、複数のパーソナルコンピュータ（以下「ＰＣ」という）３００，３００Ａ〜３００Ｆと、が設置される。ここでは、発表者がＰＣ３００を操作して、プロジェクタ１００に説明用の資料の画像を投影させ、参加者がＰＣ３００Ａ〜３００Ｆを操作して、資料を閲覧する場合を例に説明する。
【００２５】
ネットワーク２は、ローカルエリアネットワーク（ＬＡＮ）であり、接続形態は有線または無線を問わない。またネットワーク２は、ＬＡＮに限らず、ワイドエリアネットワーク（ＷＡＮ）、公衆交換電話網（ＰＳＴＮ）、インターネット等であってもよい。
【００２６】
なお、ここでは１つの会議室で発表する場合を例に説明するが、物理的に離れた複数の空間に参加者が存在してもよい。この場合には、プロジェクタ１００に加えて、それが配置される空間と物理的に離れた空間に別のプロジェクタが配置され、プロジェクタ１００に表示するのと同じ画像が別のプロジェクタにより表示される。いわゆるテレビ会議システムとして周知の技術である。
【００２７】
プロジェクタ１００は、ネットワーク２を介してＰＣ３００，３００Ａ〜３００Ｆと通信可能であり、発表者が操作するＰＣ３００から受信される画像を表示する。なお、ここでは、プロジェクタ１００を例に説明するが、液晶表示装置（ＬＣＤ）または有機ＥＬＤ（Ｅｌｅｃｔｒｏｌｕｍｉｎｅｓｃｅｎｃｅ  Ｄｉｓｐｌａｙ）等のディスプレイであってもよい。
【００２８】
ＰＣ３００，３００Ａ〜３００Ｆは、一般的なコンピュータであり、プロジェクタ１００と通信するためのアプリケーションプログラムがインストールされている。
【００２９】
ＭＦＰ２００は、原稿を読取るためのスキャナ装置、画像データに基づいて紙などの記録媒体に画像を形成するための画像形成装置およびファクシミリ装置を含み、画像読取機能、複写機能、ファクシミリ送受信機能を備えている。
【００３０】
本実施の形態においては、会議の発表者が発表用の資料の電子データである発表用データを、ＰＣ３００に記憶させ、プロジェクタ１００をＰＣ３００で遠隔操作して、プロジェクタ１００に発表用データを表示させる。発表用データは、プロジェクタ１００が読み取り可能であれば、そのフォーマットは限定されない。ここでは、発表用データは、複数のページを含む場合を例に説明する。ＰＣ３００から発表用データに含まれる複数ページの画像を順にプロジェクタ１００に送信し、プロジェクタ１００は、ＰＣ３００から受信される画像を表示する。なお、ＰＣ３００からプロジェクタ１００に発表用データを送信しておき、ＰＣ３００からページ送りまたは戻し指示などを送信するようにして、プロジェクタ１００が受信される指示に従って発表用データに含まれる複数ページの画像を順に表示するようにしてもよい。
【００３１】
一方、会議の参加者は、ＰＣ３００Ａ〜３００Ｆを操作する。プロジェクタ１００は、表示する画像と同じ画像をＰＣ３００Ａ〜３００Ｆに送信し、ＰＣ３００Ａ〜３００Ｆそれぞれは、プロジェクタ１００から受信される画像を表示する。このため、参加者は、プロジェクタ１００により投影される画像と同一の画像を、ＰＣ３００Ａ〜３００Ｆの表示部３０６で閲覧することができる。
【００３２】
図２は、プロジェクタの概略構成の一例を示すブロック図である。図２を参照して、プロジェクタ１００は、それぞれがバス１１５に接続され、プロジェクタ１００の全体を制御するための中央演算装置（ＣＰＵ）１０１と、ＣＰＵ１０１が実行するプログラム等を記憶するためのフラッシュメモリ１０３と、ＣＰＵ１０１の作業領域として用いられるＲＡＭ（Ｒａｎｄｏｍ  Ａｃｃｅｓｓ  Ｍｅｍｏｒｙ）１０５と、プロジェクタ１００をネットワーク２に接続するためのネットワークインターフェースＩ／Ｆ１０７と、画像を投影するための投影部１０９と、ユーザの操作の入力を受け付ける操作部１１１と、外部記憶装置１１３と、を含む。
【００３３】
投影部１０９は、液晶表示装置、レンズおよび光源を備え、画像を表示する。液晶表示装置は画像を表示し、光源から発せられる光は、液晶表示装置を透過し、レンズを介して外部に照射される。投影部１０９から照射される光が、スクリーンに照射されると、液晶表示装置に表示された画像を拡大した画像がスクリーンに映し出される。なお、反射率の高い面であれば、壁などを利用することができ、その場合にはスクリーンを設置する必要はない。
【００３４】
フラッシュメモリ１０３は、ＣＰＵ１０１が実行するプログラム、またはそのプログラムを実行するために必要なデータを記憶する。ＲＡＭ１０５は、ＣＰＵ１０１がプログラムを実行する際の作業領域として用いられる。
【００３５】
ネットワークＩ／Ｆ１０７は、プロジェクタ１００をネットワーク２に接続するためのインターフェースである。ＣＰＵ１０１は、ネットワークＩ／Ｆ１０７を介してＰＣ３００，３００Ａ〜３００ＦおよびＭＦＰ２００との間で通信し、データを送受信する。また、ネットワークＩ／Ｆ１０７は、ネットワーク２を介してインターネットに接続されたコンピュータと通信が可能である。
【００３６】
外部記憶装置１１３は、ＣＤ−ＲＯＭ（Ｃｏｍｐａｃｔ  Ｄｉｓｃ−Ｒｅａｄ  Ｏｎｌｙ  Ｍｅｍｏｒｙ）１１３Ａが装着される。ＣＰＵ１０１は、外部記憶装置１１３を介してＣＤ−ＲＯＭ１１３Ａにアクセス可能である。ＣＰＵ１０１は、外部記憶装置１１３に装着されたＣＤ−ＲＯＭ１１３Ａに記憶された画像表示プログラムをＲＡＭ１０５にロードして実行する。なお、ＣＰＵ１０１が実行するプログラムは、ＣＤ−ＲＯＭ１１３Ａに記憶されたプログラムに限られず、フラッシュメモリ１０３に記憶されたプログラムであってもよい。この場合、ネットワーク２に接続された他のコンピュータが、プロジェクタ１００のフラッシュメモリ１０３に記憶されたプログラムを書換える、または、新たなプログラムを追加して書き込むようにしてもよい。さらに、プロジェクタ１００が、ネットワーク２に接続された他のコンピュータからプログラムをダウンロードして、そのプログラムをフラッシュメモリ１０３に記憶するようにしてもよい。ここでいうプログラムは、ＣＰＵ１０１が直接実行可能なプログラムだけでなく、ソースプログラム、圧縮処理されたプログラム、暗号化されたプログラム等を含む。
【００３７】
なお、画像表示プログラムを記憶する記録媒体としては、ＣＤ−ＲＯＭ１１３Ａに限られず、フレキシブルディスク、カセットテープ、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ、ＥＥＰＲＯＭなどの半導体メモリ等でもよい。
【００３８】
ＰＣ３００，３００Ａ〜３００Ｆの構成および機能は同じなので、ここではＰＣ３００を例に説明する。図３は、ＰＣのハードウェア構成の一例を示すブロック図である。図３を参照して、ＰＣ３００は、それぞれがバス３０８に接続され、ＰＣ３００の全体を制御するためのＣＰＵ３０１と、ＣＰＵ３０１が実行するプログラム等を記憶するためのＲＯＭ３０２と、ＣＰＵ３０１の作業領域として用いられるＲＡＭ３０３と、ＰＣ３００をネットワークに接続するためのネットワークＩ／Ｆ３０４と、大容量記憶装置としてのＨＤＤ３０５と、表示部３０６と、ユーザの操作の入力を受け付ける操作部３０７と、外部記憶装置３０９と、を含む。
【００３９】
外部記憶装置３０９は、プログラムを記憶したＣＤ−ＲＯＭ３０９Ａが装着される。ＣＰＵ３０１は、外部記憶装置３０９を介してＣＤ−ＲＯＭ３０９Ａに記憶された画像表示プログラムをＲＡＭ３０３にロードし、実行する。また、ＨＤＤ３０５に記憶された画像表示プログラムをＲＡＭ３０３にロードして実行するようにしてもよい。この場合、ＰＣ３００が、ネットワーク２に接続された他のコンピュータからプログラムをダウンロードして、そのプログラムをＨＤＤ３０５に記憶するようにしてもよい。ここでいうプログラムは、ＣＰＵ３０１が直接実行可能なプログラムだけでなく、ソースプログラム、圧縮処理されたプログラム、暗号化されたプログラム等を含む。
【００４０】
図４は、プロジェクタが備えるＣＰＵが有する機能の一例を示す機能ブロック図である。かかる機能は、ＣＰＵ１０１がフラッシュメモリ１０３やＣＤ−ＲＯＭ１１３Ａに記憶されたプログラムを実行することにより、実現される。図４を参照して、プロジェクタ１００が備えるＣＰＵ１０１は、上記プログラムを実行することにより実現される機能として、データを取得するデータ取得部５１と、取得されたデータを送信する発表ページ送信部５３と、投影部１０９を制御する第１表示制御部５５と、データの画像を変更する変更部５７と、メッセージを受信するメッセージ受信部５９と、メッセージを集計する集計部６１と、ユーザ登録部６３と、を含む。
【００４１】
ユーザ登録部６３は、プロジェクタ１００との間で通信の対象となる装置と、その装置を操作するユーザとを登録する。具体的には、ネットワークＩ／Ｆ１０７がＰＣ３００、３００Ａ〜３００Ｆそれぞれからログイン要求を受信すると、ログイン要求を受け付ける。ログイン要求は、ユーザを識別するためのユーザ識別情報と、そのユーザが発表者または参加者のいずれであるかを示す種別とを含む。ユーザ登録部６３は、ログイン要求を送信してきた装置を識別するための装置識別情報と、ログイン要求に含まれるユーザ識別情報および種別とを関連付けた登録レコードを生成し、フラッシュメモリ１０３に記憶する。ここでは、発表者がＰＣ３００を操作し、６人の参加者がＰＣ３００Ａ〜３００Ｆをそれぞれ操作するので、ＰＣ３００の装置識別情報と、ＰＣ３００を操作するユーザのユーザ識別情報と、発表者の種別とを関連付けた登録レコードと、ＰＣ３００Ａ〜３００Ｆそれぞれの装置識別情報と、ＰＣ３００Ａ〜３００Ｆそれぞれを操作するユーザのユーザ識別情報と、参加者の種別と関連付けた６つの登録レコードとが記憶される。
【００４２】
データ取得部５１は、ネットワークＩ／Ｆ１０７がＰＣ３００からデータを受信すると、そのデータを取得する。ここでは、ＰＣ３００から画像データを受信する場合を説明する。ＰＣ３００は発表者により操作され、発表用データを記憶している。発表者がＰＣ３００を操作して、発表用データに含まれる複数ページのうちから１つを指示すれば、そのページの画像データがプロジェクタ１００に送信される。画像データのフォーマットは特に限定するものではないが、プロジェクタ１００が受信可能なフォーマットであればよい。ここでは、ビットマップフォーマットの画像データとする。データ取得部５１は、取得された画像データを、発表ページ送信部５３および第１表示制御部５５に出力する。
【００４３】
発表ページ送信部５３は、データ取得部５１から入力される画像データを、参加者が操作するＰＣ３００Ａ〜３００Ｆにそれぞれ送信する。これにより、ＰＣ３００Ａ〜３００Ｆそれぞれが備える表示部３０６に画像データの画像、換言すれば、発表用データに含まれる複数ページのうちから発表者により選択された１つのページの画像が表示される。
【００４４】
第１表示制御部５５は、データ取得部５１から入力される画像データを投影部１０９に出力し、投影部１０９に画像００４６
データの画像を投影させる。
【００４５】
メッセージ受信部５９は、ネットワークＩ／Ｆ１０７が参加者が操作するＰＣ３００Ａ〜３００Ｆのいずれかからメッセージを受信すると、そのメッセージを取得する。メッセージ受信部５９は、受信されたメッセージを集計部６１に出力する。ＰＣ３００Ａ〜３００Ｆが出力するメッセージの詳細は後述するが、発表ページ送信部５３が出力した画像データの画像中の位置と、メッセージ種別とを含む。
【００４６】
集計部６１は、メッセージ受信部５９からメッセージが入力されると、それまでに入力されたメッセージのすべてを集計し、集計結果を変更部５７に出力する。集計部６１は、画像を複数の領域に分割し、メッセージ受信部５９から入力されるメッセージの数を、複数の領域毎およびメッセージ種別毎にカウントする。したがって、集計結果は、複数の領域毎およびメッセージ種別毎のメッセージ数である。ここでは、集計結果を集計テーブルで示し、画像を縦横それぞれ４等分した１６の領域毎にメッセージ数をカウントする場合を例に説明する。
【００４７】
集計部６１が集計の対象とするメッセージは、発表ページ送信部５３がデータを送信してから次のデータを送信するまでの間にメッセージ受信部５９から入力されるメッセージである。したがって、集計部６１は、発表ページ送信部５３が画像データを送信すると、それまでに入力されたメッセージすべてを消去する。
【００４８】
図５は、集計テーブルの一例を示す図である。図５を参照して、集計テーブルは、１６の領域毎に、メッセージ種別が「賛同」のメッセージの数、メッセージ種別が「異議」のメッセージの数、メッセージ種別が「不明」のメッセージの数を含む。ここでは画像を縦方向に４等分した領域を上から順にＡ、Ｂ，Ｃ，Ｄとし、画像を横方向に４等分した領域を左から順に１、２、３、４の符号をつけて示している。例えば縦が「Ａ」、横が「１」で特定される領域は画像の縦に４等分された部分のうち最上段の最も左の領域を示す。図５に示す集計テーブルにおいて、縦が「Ａ」、横「３」で特定される領域のメッセージ数は「２」とされており、画像の最上段の左から３番目の領域に対して、異議のある参加者が２人存在することが示される。また、縦が「Ａ」、横「４」で特定される領域のメッセージ数は「１」とされており、画像の最上段の左から４番目の領域に対して、異議のある参加者が１人存在することが示される。
【００４９】
変更部５７は、集計部６１から入力される集計結果に基づいて、第１表示制御部５５が投影部１０９に出力する画像を変更することによって合成画像を生成する。変更部５７は、合成画像を第１表示制御部５５に出力し、合成画像を投影部１０９に投影させる。
【００５０】
変更部５７は、合成部７１と表示態様変更部７３とを含む。合成部７１は、第１表示制御部５５が投影部１０９に出力する画像に、集計部６１から入力される集計結果に基づいて、メッセージが存在することを示す指示画像を合成することによって合成画像を生成する。指示画像を画像中の何も描かれていない空白の領域に指示画像を配置するのが好ましい。
【００５１】
表示態様変更部７３は、メッセージの種別および数に基づいて、指示画像の形状および表示態様を変更する。ここでは、変更する表示態様は、指示画像の形状と個数としている。表示態様変更部７３は、メッセージ種別に基づいて、それに対応して予め定められた形状に指示画像を変更し、メッセージの数に基づいて指示画像の数を変更する。具体的には、表示態様変更部７３は、指示画像の形状を、メッセージ種別によって予め定めている。ここでは、メッセージ種別を、「賛同」、「異議」および「不明」の３種類としており、メッセージ種別が「賛同」に対して指示画像の形状を「＠」の記号とし、メッセージ種別が「異議」に対して指示画像の形状を「！」の記号とし、メッセージ種別が「不明」に対して指示画像の形状を「？」の記号としている。また、表示態様変更部７３は、メッセージの数に比例して指示画像の数を多くする。
【００５２】
合成画像が投影部１０９によってスクリーンに投影され、スクリーンに合成画像が表示されると、発表者は、指示画像から参加者のメッセージが存在することを知ることができ、指示画像の形状からメッセージの種類を知ることができ、さらに、指示画像の数からメッセージの数を知ることができる。このように、参加者の意向を反映した画像が表示されるので、発表者は、スクリーンに表示された画像から参加者の意向を確認することができる。
【００５３】
なお、表示態様の変更は、形状および数を変更するものに限らず、色相、明度、彩度を変更するようにしてもよいし、指示画像のサイズを変更するようにしてもよい。さらに、表示態様を変更する別の形態として、指示画像を点滅させるようにし、点滅の間隔を変更するようにしてもよい。形状を変更しない場合には、指示画像のサイズに制限されないので、指示画像の配置が容易となる。
【００５４】
図６は、参加者が操作するＰＣが備えるＣＰＵの機能の一例を示す機能ブロック図である。かかる機能は、ＣＰＵ３０１がＲＯＭ３０２やＣＤ−ＲＯＭ３０９Ａに記憶されたプログラムを実行することにより、実現される。参加者が操作するＰＣ３００Ａ〜３００Ｆそれぞれにおいて実現される機能は同じなので、ここでは参加者が操作するＰＣ３００Ａについて説明する。図６を参照して、参加者が操作するＰＣ３００Ａが備えるＣＰＵ３０１は、上記プログラムを実行することにより実現される機能として、発表ページを受信する発表ページ受信部３１１と、表示部３０６に発表ページの画像を表示する第２表示制御部３１３と、ユーザによる指示を受け付ける指示受付部３１５と、受け付けられた指示に従ってメッセージを送信するメッセージ送信部３１７とを含む。
【００５５】
発表ページ受信部３１１は、ネットワークＩ／Ｆ３０４がプロジェクタ１００から画像データを受信すると、受信された画像データを取得する。そして、受信された画像データを第２表示制御部３１３に出力する。
【００５６】
第２表示制御部３１３は、発表ページ受信部３１１から入力される画像データの画像を含む発表用画面を表示部３０６に出力し、表示部３０６に発表用画面を表示させる。また、第２表示制御部３１３は、表示部３０６に出力した発表用画面を指示受付部３１５に出力する。
【００５７】
指示受付部３１５は、ユーザが操作部３０７に入力する指示を受け付ける。ユーザが操作部３０７に入力する指示は、発表ページ受信部３１１から入力される画像データの画像中の位置と、メッセージ種別とを含む。指示受付部３１５は、種類受付部３２１と、位置特定部３２３とを含む。種類受付部３２１は、予め定められた複数のメッセージ種別、ここでは「賛同」、「異議」および「不明」のうちのいずれかを選択する。具体的には、発表用画面に含まれる３つのボタンのいずれかが指示されると、指示されたボタンに対応し、予め定められたがメッセージ種別を受け付ける。位置特定部３２３は、発表用画面に含まれる画像中でユーザにより指示された領域を特定する。指示受付部３１５は、メッセージ種別と画像中の位置とをメッセージ送信部３１７に出力する。メッセージ送信部３１７は、メッセージ種別と画像中の位置とを含むメッセージをネットワークＩ／Ｆ３０４を介してプロジェクタ１００に送信する。
【００５８】
図７は、発表用画面の一例を示す図である。図７を参照して、発表用画面４０１は、画像データの画像を表示する領域４０３と、「賛同」の文字が表されたボタン４０５と、「異議」の文字が表されたボタン４０６と、「不明」の文字が表されたボタン４０７とを含む。ボタン４０５はメッセージ種別「賛同」と対応付けられており、ボタン４０６はメッセージ種別「異議」と対応付けられており、ボタン４０７はメッセージ種別「不明」と対応付けられている。
【００５９】
領域４１１は、領域４０３中でユーザがマウスポインタ４０９を用いて指示した領域を示している。ユーザが領域４１１を指示した状態で、ボタン４０５，４０６，４０７のいずれかが指示されると、指示されたものに対応して予め定められたメッセージ種別と、領域４０３に表示されている画像中の領域４１１の位置と、が入力される。
【００６０】
図８は、画像表示処理の流れの一例を示すフローチャートである。画像表示処理は、プロジェクタ１００が備えるＣＰＵ１０１が画像表示プログラムを実行することによりＣＰＵ１０１により実行される処理である。図８を参照して、ＣＰＵ１０１は、ログインを受け付けたか否かを判断する（ステップＳ０１）。ネットワークＩ／Ｆ１０７が、ＰＣ３００，３００Ａ〜３００Ｆのいずれかからログイン要求を受信したか否かを判断する。ログイン要求を受信したならば処理をステップＳ０２に進めるが、そうでなければステップＳ０２をスキップして処理をステップＳ０３に進める。ステップＳ０２においては、ログイン要求を送信してきたＰＣを登録し、処理をステップＳ０３に進める。具体的には、ＰＣ３００，３００Ａ〜３００Ｆのうち、ログイン要求を送信してきたものを識別するための装置識別情報と、ログイン要求に含まれるユーザ識別情報および種別とを関連付けた登録レコードを生成し、フラッシュメモリ１０３に記憶する。種別は、ログイン要求を送信してきたＰＣを操作するユーザが発表者および参加者のいずれであるかを示す。
【００６１】
ステップＳ０３においては、発表者が操作するＰＣ３００から新たなページの画像データを受信したか否かを判断する。新たなページの画像データを受信したならば処理をステップＳ０４に進めるが、そうでなければ処理をステップＳ０７に進める。ステップＳ０４においては、集計結果をリセットする。具体的には、ステップＳ０３において新たなページの画像データを受信するまでに後述するステップＳ０７において受信されたメッセージのすべてを消去する。画像データごとに指示画像を表示するようにして、参加者の意見を画像データ（ページ）単位で反映させるためである。尚、ＰＣ３００からプロジェクタ１００に画像データがフレームごとに連続的に送信され、表示されるような形態の場合には、画像の内容が一定以上変更されたことを検出して新たなページの画像データを受信したと判断するようにすればよい。
【００６２】
次のステップＳ０５においては、ステップＳ０３において受信された画像データの画像を表示する。具体的には、画像データの画像を投影部１１０に出力し、投影させる。
【００６３】
ステップＳ０６においては、ステップＳ０３において受信された画像データを、ステップＳ０２において参加者として登録されているＰＣのすべてに送信する。ここでは、ＰＣ３００Ａ〜３００Ｆそれぞれに画像データを送信する。これにより、ＰＣ３００Ａ〜３００Ｆそれぞれにおいて、投影部１０９が投影することにより表示される画像と同一の画像が表示される。
【００６４】
ステップＳ０７においてはメッセージを受信したか否かを判断する。ネットワークＩ／Ｆ１０７が参加者の操作するＰＣ３００Ａ〜３００Ｆのいずれかからメッセージを受信したか否かを判断する。メッセージを受信したならば処理をステップＳ０８に進めるが、そうでなければ処理をステップＳ１１に進める。
【００６５】
ステップＳ０８においては、それまでに受信されたメッセージを集計する。これにより、図５に示した集計テーブルが生成される。そして次のステップＳ０９においては、変更処理を実行する。変更処理についてはその詳細は後述するが、集計テーブルに従って指示画像を画像データの画像に合成する処理である。
【００６６】
次のステップＳ１０においては、変更処理により画像データを変更することによって生成される合成画像を表示する。具体的には、合成画像を投影部１０９に出力し、投影部に合成画像を投影させる。合成画像は指示画像を含むので、発表者または参加者は、参加者が表示されている画像に対してどのような意見を有するかを知ることができる。
【００６７】
次のステップＳ１１においては、会議が終了したか否かを判断する。発表者が操作するＰＣ３００から会議を終了させるための信号が受信されたか否かを判断する。会議を終了させるための信号が受信されたならば処理を終了するが、そうでなければ処理をステップＳ０１に戻す。
【００６８】
図９は、変更処理の流れの一例を示すフローチャートである。変更処理は、図８のステップＳ０９において実行される処理である。図９を参照して、ステップＳ２１においては、メッセージを領域ごとに分類する。ここでは、画像を縦横それぞれ４等分した１６の領域それぞれについて、メッセージを、それに含まれる位置に基づいて領域で分類する。次のステップＳ２２においては、メッセージをメッセージ種別で分類する。ステップＳ２１において領域ごとに分類されたメッセージを、それぞれの領域においてメッセージ種別に分類する。
【００６９】
次のステップＳ２３においては、位置および種別毎にメッセージ数を集計する。すなわち、同じ領域に含まれるメッセージについて同じメッセージ種別のメッセージの数をカウントする。これにより、図５に示した集計テーブルが生成される。そして次のステップＳ２４においては、参加者の３割以上のメッセージ数があるか否かを判断する。図５に示した集計テーブルにおいて、参加者数の３割以上のメッセージ数が割り当てられた領域およびメッセージ種別の枠があるか否かを判断する。参加者数の３割以上のメッセージ数が割り当てられた枠が存在するならば処理をステップＳ２５に進めるが、そうでなければ処理を画像表示処理に戻す。ステップＳ２５においては、指示画像を生成する。指示画像は、ステップＳ２４において参加者数の３割以上のメッセージ数が割り当てられた枠に対応するメッセージ種別によって形状が定まり、メッセージ数によって指示画像の数が定まる。次のステップＳ２６においては、ステップＳ２５において生成された指示画像を画像データの画像と合成することによって合成画像を生成し、処理を画像表示処理に戻す。
【００７０】
図１０は、メッセージ処理の流れの一例を示すフローチャートである。メッセージ処理は、参加者が操作するＰＣ３００Ａ〜３００Ｆそれぞれにおいて実行される処理であり、参加者が操作するＰＣ３００Ａ〜３００Ｆそれぞれが備えるＣＰＵ３０１が画像表示プログラムを実行することにより、ＣＰＵ３０１により実行される処理である。ここではＰＣ３００Ａがメッセージ処理を実行する場合について説明する。
【００７１】
図１０を参照して、ＰＣ３００Ａが備えるＣＰＵ１０１は、ログイン要求を受け付けたか否かを判断する（ステップＳ３１）。ユーザが操作部３０７にユーザ識別情報および種別、ここでは参加者を入力したことを検出すると、ログイン要求を受け付ける。ログイン要求を受け付けるまで待機状態となり（ステップＳ３１でＮＯ）、ログイン要求を受け付けると（ステップＳ３１でＹＥＳ）、処理をステップＳ３２に進める。ステップＳ３２においては、プロジェクタ１００に登録要求を送信する。具体的には、ステップＳ３１において入力されたユーザ識別情報と種別とを含む登録要求をプロジェクタ１００に送信する。
【００７２】
次のステップＳ３３においては、プロジェクタ１００から画像データを受信したか否かを判断する。画像データを受信したならば処理をステップＳ３４に進めるが、そうでなければステップＳ３４をスキップして処理をステップＳ３５に進める。ステップＳ３４においては、受信された画像データの画像を含む発表用画面を表示部３０６に表示し、処理をステップＳ３５に進める。これにより、図７に示した発表用画面が表示部３０６に表示される。
【００７３】
ステップＳ３５においては、領域の指定を受け付けたか否かを判断する。領域の指定を受け付けたならば処理をステップＳ３６に進めるが、そうでなければ処理をステップＳ３９に進める。ユーザが操作部３０７を操作して、ステップＳ３４において表示された画像中の一部分を指定する操作を受け付けたか否かを判断する。画像中の一部分を指定する操作を受け付けたならば領域の指定を受け付ける。ステップＳ３６においては、指定された領域を点線で表示する。これによりユーザに、指定した領域を確認させることができる。
【００７４】
次のステップＳ３７においては、メッセージ種別ボタンが押下されたか否かを判断する。発表用画面に含まれるボタン４０５〜４０７のいずれかが押下されたか否かを判断する。ボタン４０５〜４０７のいずれかが押下されたならば処理をステップＳ３８に進めるが、そうでなければ処理をステップＳ３３に戻す。ステップＳ３８においては、ステップＳ３５において指定された領域の画像中の位置と、ステップＳ３７において押下が検出されたボタンに対応するメッセージ種別とを含むメッセージをプロジェクタ１００に送信する。
【００７５】
次のステップＳ３９においては、会議が終了したか否かを判断する。プロジェクタ１００より終了信号を受信したならば会議が終了したと判断する。会議が終了したならば処理を終了するが、そうでなければ処理をステップＳ３３に戻す。
【００７６】
図１１は、合成画像の一例を示す図である。図１１を参照して、合成画像５０１は、領域５０３と領域５０７とが示されてそれぞれの領域に指示画像５０５および指示画像５０９が表示される。指示画像５０５は、「？」の記号を含み、多くの参加者が領域５０５の部分について意味を理解していないことを示している。また、指示画像５０９は、「！」の記号を含み、多くの参加者が領域５０７の部分に対して異議のあることを示している。
【００７７】
＜合成画像の変形例＞
上述した実施の形態においては、画像を複数の領域に分割し、領域ごとに指示画像表示するようにしたが、画像を分割することなく画像全体に対して指示画像を表示するようにしてもよい。図１２は、変形例における合成画像の一例を示す図である。図１２を参照して、変形例における合成画像５１１は、指示画像５１３を含む。指示画像５１３は、楕円形であり、メッセージ種別が「賛同」であることを示している。また、図では指示画像５１３を、大きさの異なる４つの楕円が重なった図形として示しているが、説明のために付したもので、実際には最も大きな１つの楕円からなる。指示画像５１３の大きさは、メッセージ種別が「賛同」のメッセージを送信した参加者の人数を示し、ここでは指示画像５１３を４つの楕円が重なった図形としているので、参加者の４割がメッセージ種別が「賛同」のメッセージを送信したことを示している。
【００７８】
なお、ここでは指示画像の大きさでメッセージを送信した参加者の割合を示すようにしたが、同じメッセージ種別を送信した参加者の割合が大きくなるほど明度が高くなるようにしてもよい。また、指示画像５１３の形状がメッセージ種別によって異なるようにしたが、指示画像の色相をメッセージ種別によって異なるようにしてもよい。例えば、メッセージ種別「賛同」に対して緑色を、メッセージ種別「異議」に対して赤色を、メッセージ種別「不明」に対しては青色を対応付けるようにしてもよい。
【００７９】
＜第２の実施の形態＞
上述した第１の実施の形態においては、画像データの画像に指示画像を合成するようにしたが、第２の実施の形態における画像表示装置としてのプロジェクタ１００は、受信されるメッセージに基づいて指示画像を合成するのに代えて、画像データの画像の表示態様を異ならせる。具体的には、画像データの画像の背景の色をメッセージ種別およびメッセージ数に基づいて変更する。画像の背景の色でメッセージ種別とメッセージ数とを表現するために、メッセージ種別を色相で表し、メッセージ数を明度で表す。
【００８０】
例えば、メッセージ種別「賛同」に対して緑色を、メッセージ種別「異議」に対して赤色を、メッセージ種別「不明」に対しては青色を対応付け、メッセージ数が多いほど明度を高くする。
【００８１】
以上説明したように本実施の形態における画像表示装置としてのプロジェクタ１００は、スクリーンに表示するための画像を投影部１０９に出力する表示制御部５３と、通信可能に接続されたＰＣ３００Ａ〜３００Ｆからメッセージを受信するメッセージ受信部５９と、１以上のメッセージを集計する集計部６１と、集計されたメッセージの数に基づいて、表示するための画像を変更する変更部５７と、を備える。スクリーンに表示された画像は、集計されたメッセージの数に基づいて変更されているため、会議の発表者は、スクリーンに表示された画像から参加者のメッセージの数を知ることができる。
【００８２】
また、変更部５７によって、メッセージが存在することを示す指示画像が画像に合成されるので、表示される合成画像に含まれる指示画像からメッセージが存在することを知らせることができる。また、集計されたメッセージの数に基づいて、指示画像の表示態様が変更されるので、指示画像の表示態様からメッセージの数を知らせることができる。
【００８３】
また、メッセージの種類によって異なる指示画像を画像に合成することによって合成画像が生成されるので、指示画像からメッセージの種類を知らせることができる。
【００８４】
さらに、メッセージが画像中の位置毎に集計され、画像中の位置毎に指示画像を画像に合成することによって合成画像が生成されるので、メッセージが対象とする画像中の位置を知らせることができる。
【００８５】
さらに、発表用データに含まれる複数のページの画像が切り替わる前にメッセージが集計され、合成画像が表示されるので、ページの画像毎に参加者の意向を通知することができる。
【００８６】
なお、上述した実施の形態においては、画像表示装置の一例としてプロジェクタを例に説明したが、プロジェクタ１００に代えて、液晶表示装置、プロジェクタ等の表示装置と接続されたコンピュータであってもよい。この場合、そのコンピュータが備えるＣＰＵは、図４に示した機能を備え、第１表示制御部５５は、表示装置を制御し、表示装置に画像を表示させる。
【００８７】
また、図８、図９および図１０に示した処理を実行するための画像表示方法およびその画像表示方法をコンピュータに実行させるための画像表示プログラムとして発明を捉えることができるのは、言うまでもない。
【００８８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８９】
＜付記＞
（１）  前記表示態様変更手段は、前記指示画像の数を変更する、請求項３に記載の画像表示装置。
（２）  前記表示態様変更手段は、前記指示画像のサイズを変更する、請求項３に記載の画像表示装置。
（３）  前記表示態様変更手段は、前記指示画像の形状を変更する、請求項３に記載の画像表示装置。
（４）  前記表示態様変更手段は、前記指示画像の色彩、色相または明度を変更する、請求項３に記載の画像表示装置。
（５）  前記表示態様変更手段は、前記指示画像を点滅させる間隔を変更する、請求項３に記載の画像表示装置。
（６）  前記変更手段は、前記表示制御手段が出力している画像の背景の色を変更した背景変更画像を生成する背景変更手段を含み、
前記表示制御手段は、前記背景変更画像を出力する、請求項１に記載の画像表示装置。
【図面の簡単な説明】
【００９０】
【図１】本発明の実施の形態の１つにおける会議システムの全体概要を示す図である。
【図２】プロジェクタの概略構成の一例を示すブロック図である。
【図３】ＰＣのハードウェア構成の一例を示すブロック図である。
【図４】プロジェクタが備えるＣＰＵが有する機能の一例を示す機能ブロック図である。
【図５】集計テーブルの一例を示す図である。
【図６】参加者が操作するＰＣが備えるＣＰＵの機能の一例を示す機能ブロック図である。
【図７】発表用画面の一例を示す図である。
【図８】画像表示処理の流れの一例を示すフローチャートである。
【図９】変更処理の流れの一例を示すフローチャートである。
【図１０】メッセージ処理の流れの一例を示すフローチャートである。
【図１１】合成画像の一例を示す図である。
【図１２】変形例における合成画像の一例を示す図である。
【符号の説明】
【００９１】
１  会議システム、２  ネットワーク、５１  データ取得部、５３  発表ページ送信部、５５  第１表示制御部、５７  変更部、５９  メッセージ受信部、６１  集計部、６３  ユーザ登録部、７１  合成部、７３  表示態様変更部、１００  プロジェクタ、１０１  ＣＰＵ、１０３  フラッシュメモリ、１０５  ＲＡＭ、１０７  ネットワークＩ／Ｆ、１０９  投影部、１１０  投影部、１１１  操作部、１１３  外部記憶装置、１１５  バス、３００，３００Ａ〜３００Ｆ  ＰＣ、３０１  ＣＰＵ、３０２  ＲＯＭ、３０３  ＲＡＭ、３０４  ネットワークＩ／Ｆ、３０５  ＨＤＤ、３０６  表示部、３０７  操作部、３０８  バス、３０９  外部記憶装置、３１１  発表ページ受信部、３１３  第２表示制御部、３１５  指示受付部、３１７  メッセージ送信部、３２１  種類選択部、３２３  位置特定部、４０１  発表用画面、４０５，４０６，４０７  ボタン、５０１  合成画像、５０５，５０９  指示画像、１０７  ネットワークＩ／Ｆ、３０４  ネットワークＩ／Ｆ。
【図１】
2010217563.tif 000003
【図２】
2010217563.tif 000004
【図３】
2010217563.tif 000005
【図４】
2010217563.tif 000006
【図５】
2010217563.tif 000007
【図６】
2010217563.tif 000008
【図７】
2010217563.tif 000009
【図８】
2010217563.tif 000010
【図９】
2010217563.tif 000011
【図１０】
2010217563.tif 000012
【図１１】
2010217563.tif 000013
【図１２】
2010217563.tif 000014